(57)【特許請求の範囲】
【請求項１】
集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部を前記住宅情報盤が備えてなるインターホンシステムにおいて、
前記集合玄関機から呼出があるときに撮像された録画画像を記憶する集合玄関用画像記憶部と、前記ドアホンから呼出があるときに撮像された録画画像を記憶するドアホン用画像記憶部と、前記集合玄関用画像記憶部に記憶された録画画像と前記ドアホン用画像記憶部に記憶された録画画像に基づいて両画像が同一人物の画像であるかどうかを判定する顔認証部と、該顔認証部によって同一人物の画像であると判定されたときに前記ドアホン用画像記憶部または前記集合玄関用画像記憶部に記憶された録画画像の一方を消去する画像消去部を備えたことを特徴とするインターホンシステム。
【請求項２】
前記顔認証部は、前記集合玄関用画像記憶部に記憶された録画画像と、当該録画画像が記憶されたときから所定時間内に記憶された前記ドアホン用画像記憶部の録画画像に基づいて両画像が同一人物の画像であるかどうかを判定することを特徴とする請求項１記載のインターホンシステム。
【請求項３】
集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部を前記住宅情報盤が備えてなるインターホンシステムにおいて、
前記集合玄関機から呼出があるときに撮像された録画画像を記憶する集合玄関用画像記憶部と、前記ドアホンから呼出があるときに撮像された録画画像を記憶するドアホン用画像記憶部と、該ドアホン用画像記憶部に記憶された時刻より所定時間内に集合玄関用画像記憶部に記憶された録画画像があるかどうかを判定して、録画画像がある場合には直近に録画された前記ドアホン用画像記憶部または前記所定時間内に記憶された前記集合玄関用画像記憶部の録画画像の一方を消去する画像消去部を備えたことを特徴とするインターホンシステム。
【発明の詳細な説明】
【技術分野】
【０００１】
本発明は、集合住宅に設置されるインターホンシステムに関し、より詳しくは集合玄関に設置されている集合玄関機と、各住戸の玄関に設置されるドアホンと、各住戸内に設置される住宅情報盤とを備えてなるインターホンシステムに関する。
【背景技術】
【０００２】
マンションなどの集合住宅に設けられるインターホンシステムは、各住戸に設置した住宅情報盤と、管理員室に設置した管理室親機と、集合玄関に設置した集合玄関機とを備えて構成され、それぞれの機器間でインターホン通話ができるシステムになっている。
また、住宅情報盤には、各住戸の玄関先に設置されているドアホンが接続され、これらの間でもインターホン通話をすることができる。
【０００３】
このような集合住宅用のインターホンシステムにおいては、訪問者が、集合玄関機またはドアホンから各住戸の住宅情報盤を呼び出し、住戸内の居住者とインターホン通話を行う。そして、集合玄関機またはドアホンから各住戸の住宅情報盤が呼出されたときには、訪問者を撮像してその映像を住宅情報盤側で録画できるようになっている。
このような集合住宅用のインターホンシステムとしては、例えば特許文献１に開示された「集合住宅インターホンシステム」や、特許文献２に開示された「住宅情報システム」などがある。
【０００４】
訪問者を撮像した映像を録画する機能を有するインターホンシステムにおいては、映像は住宅情報盤のメモリに記憶されることになるが、画像情報は大きな記憶容量を必要とし、他方メモリの記憶容量が所定量になっているため、メモリの有効利用の観点から不要な画像を消去したいという要請がある。
この点、特許文献２においては、メモリに記憶された画像を所定時間経過後に消去したり、あるいはメモリの記憶容量の残りが少なくなった場合に上書きしたりするという手段を講じている。
【先行技術文献】
【特許文献】
【０００５】
【特許文献１】特開２００７−２２８２８５号公報
【特許文献２】特開２００２−１１１８８３号公報
【発明の概要】
【発明が解決しようとする課題】
【０００６】
しかしながら、特許文献２に開示されたように、メモリに記憶された画像を所定時間経過後に消去したり、あるいはメモリの記憶容量の残りが少なくなった場合に上書きしたりするという手段では、例えば、長期間留守にしたような場合に、古い画像が消去されてしまい、本来必要な画像を消去してしまうことにもなりかねない。
【０００７】
本発明はかかる課題を解決するためになされたものであり、本来必要な画像は残し、本来不要な画像のみを記憶しないようにしてメモリの有効利用を図ることができるインターホンシステムを提供することを目的としている。
【課題を解決するための手段】
【０００８】
上記の課題を解決するため、発明者は本来不要な画像とは何かについて検討したところ、訪問者の典型的な行動パターンは集合玄関から呼出をし、居住者の応答により開けられた集合玄関を通過して目的の住戸のドアホンで呼出をするというものであり、この場合においては、集合玄関のカメラで撮像された画像と、ドアホンのカメラで撮像された画像が二重に存在し、このような場合において一方の画像が不要な画像であると考えた。
そこで、このような不要な画像のみを消去して記憶しないようにすることで、メモリの有効利用が可能となるとの知見を得た。
本発明はかかる知見に基づくものであり、具体的には以下の構成からなるものである。
【０００９】
（１）本発明に係るインターホンシステムは、集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部を前記住宅情報盤が備えてなるインターホンシステムにおいて、
前記集合玄関機から呼出があるときに撮像された録画画像を記憶する集合玄関用画像記憶部と、前記ドアホンから呼出があるときに撮像された録画画像を記憶するドアホン用画像記憶部と、前記集合玄関用画像記憶部に記憶された録画画像と前記ドアホン用画像記憶部に記憶された録画画像に基づいて両画像が同一人物の画像であるかどうかを判定する顔認証部と、該顔認証部によって同一人物の画像であると判定されたときに前記ドアホン用画像記憶部または前記集合玄関用画像記憶部に記憶された録画画像の一方を消去する画像消去部を備えたことを特徴とするものである。
【００１０】
（２）また、上記（１）に記載のものにおいて、前記顔認証部は、前記集合玄関用画像記憶部に記憶された録画画像と、当該録画画像が記憶されたときから所定時間内に記憶された前記ドアホン用画像記憶部の録画画像に基づいて両画像が同一人物の画像であるかどうかを判定することを特徴とするものである。
【００１１】
（３）また、本発明に係るインターホンシステムは、集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部を前記住宅情報盤が備えてなるインターホンシステムにおいて、
前記集合玄関機から呼出があるときに撮像された録画画像を記憶する集合玄関用画像記憶部と、前記ドアホンから呼出があるときに撮像された録画画像を記憶するドアホン用画像記憶部と、該ドアホン用画像記憶部に記憶された時刻より所定時間内に集合玄関用画像記憶部に記憶された録画画像があるかどうかを判定して、録画画像がある場合には直近に録画された前記ドアホン用画像記憶部または前記所定時間内に記憶された前記集合玄関用画像記憶部の録画画像の一方を消去する画像消去部を備えたことを特徴とするものである。
【発明の効果】
【００１２】
本発明によれば、訪問者が集合玄関機のカメラとドアホンのカメラの両方で撮像された場合のように、本来不要な画像データが存在するときに、その不要な画像データを消去することができるので、本来不要なデータを削除し必要なデータを残すことができ、メモリの有効利用が可能となる。
【図面の簡単な説明】
【００１３】
【図１】本発明の一実施の形態に係るインターホンシステムに用いるドアホンと住宅情報盤のブロック図である。
【図２】本発明の一実施の形態に係るインターホンシステムの動作を説明するフローチャートである。
【図３】本発明の一実施の形態に係るインターホンシステムの全体構成を説明する説明図である。
【発明を実施するための形態】
【００１４】
本発明の一実施の形態に係るインターホンシステム１を図１乃至図３に基づいて説明する。
まず、システムの全体構成を図３に基づいて説明する。本実施の形態のインターホンシステム１は、各住戸に設置した住宅情報盤３と、管理員室に設置した管理室親機５と、集合玄関に設置した集合玄関機７を備えて構成され、それぞれの機器が制御装置９を介して制御信号線、通話線（音声線）及び映像線で接続されてインターホン通話ができるようになっている。
また、住宅情報盤３には、各住戸の玄関先に設置されているドアホン１１が接続され、これらの間でもインターホン通話をすることができるようになっている。
【００１５】
次に、図１に基づいて住宅情報盤３及びドアホン１１について説明する。
図１に示すように、ドアホン１１は住宅情報盤３と映像線Ｌ１及び通話線Ｌ２を介して接続されている。
また、ドアホン１１は、訪問者を撮像するカメラ１３、カメラ１３の映像信号を変調して住宅情報盤３側に映像線Ｌ１を介して出力する変調回路１５を備えている。また、訪問者が押す呼出釦１７、呼出釦１７の動作を電気信号に変換する呼出回路１９、スピーカ及びマイク（図示なし）を有し音声信号を通話線Ｌ２を介して出力する通話回路２１を備えている。
【００１６】
住宅情報盤３は、映像線Ｌ１及び通話線Ｌ２を介してドアホン１１と接続されると共に制御信号線、映像線及び通話線を介して制御装置９と接続されている。
また、住宅情報盤３は、復調回路２３、電源供給回路２５、タイマー機能を備えた画像録画部２７、画像再生部２９、記憶部３１、顔認証部３３、画像消去部３５、モニタ３７、呼出検出回路３９、通話切換回路４１、マイク４３及びスピーカ４５を有する通話回路４７、送受信部４９、映像切換回路５１、制御部５３を備えている。
以下、各部の詳細を説明する。
【００１７】
＜復調回路＞
復調回路２３は、ドアホン側の変調回路１５で変調された映像信号を復調するものであり、復調された映像がモニタ３７に表示される。
＜電源供給回路＞
電源供給回路２５は、図示しない商用電源が接続されており、ドアホン１１の呼出釦１７が押された際に、ドアホン１１側に映像線Ｌ１を介して電源を供給する。
【００１８】
＜画像録画部＞
画像録画部２７は、復調回路２３に接続され、静止画を録画する。画像録画部２７は、図示しないＡ／Ｄ変換器、画像圧縮回路などから構成され、ドアホン１１のカメラ１３または集合玄関機７のカメラ（図示なし）が撮像した静止画をＪＰＥＧ方式などで圧縮して記憶部３１のドアホン用画像記憶部３１ａまたは集合玄関用画像記憶部３１ｂに保存する。
この画像録画部２７は、ドアホン１１または集合玄関機７から呼出がある時に起動され、通話の有無に係わらず、画像を録画する。したがって、呼出があれば、その呼出に応答しない不在時の場合は勿論、在宅で、ハンドセットを上げたり、又は通話釦を押したりして、その呼出に応答する場合も録画を行う。
なお、ドアホン１１側の映像と集合玄関機７側の映像は映像切換回路５１によって切り換えられて画像録画部２７で録画される。
【００１９】
画像録画部２７による録画は、呼出があった時から所定時間が経過するまで所定の間隔で行われる。具体的には、呼出があった時から、例えば６秒間、１秒毎に画像を録画する。もっとも、呼出の操作がなされたと同時では、まだカメラ（ドアホン１１のカメラ１３又は集合玄関機７のカメラ）が起動していないので、例えば呼出後１秒経過してから、順次１秒周期で画像を録画して、合計５枚の画像を録画する。５枚の画像は、まとめて１件として扱い、記憶部３１に格納する。
画像録画部２７は、タイマー２８によるタイマー機能を備えており、呼出があった時点から時間を計測し、画像録画部２７はこのタイマー２８の時間により、６秒間が経過すると録画を停止する。もっとも、６秒間が経過する前に訪問者と居住者の通話が終了すると、その時点で録画を停止する。
画像録画部２７は、録画する際にタイマー２８の時間情報を画像と共に記憶する。これによって、記憶されている画像は録画された時間に基づいて読み出しが可能になっている。
また、画像録画部２７は、呼出ごとに記憶部３１に上記の複数の画像を格納し、記憶部３１の記憶容量が少なくなると、最も古いデータを削除して上書きして最新のものを優先して記憶する。
【００２０】
＜画像再生部＞
画像再生部２９は、図示しないＤ／Ａ変換器や画像伸長回路などから構成されており、図示しない再生釦の操作（再生操作）に伴い、記憶部３１に記憶されている複数枚の静止画を、順次、モニタ３７に再生する。具体的には、録画したタイミングと同じ状態で再生を行うのが望ましく、録画した静止画を１秒おきに１画面ずつ切り換えて表示する。
【００２１】
＜記憶部＞
画像記憶部としての記憶部３１はフラッシュメモリなどから構成され、複数件、例えば２０件程度の画像を録画できる容量をもったものが使用される。
記憶部３１には、ドアホン１１のカメラ１３で撮像された映像を記憶するドアホン用画像記憶部３１ａと、集合玄関機７のカメラで撮像された映像を記憶する集合玄関用画像記憶部３１ｂを備えている。
【００２２】
＜顔認証部＞
顔認証部３３は、ドアホン用画像記憶部３１ａと集合玄関用画像記憶部３１ｂに記憶されている訪問者の画像に基づいて同一人物であるかどうかを判定する。
具体的には、集合玄関のカメラからの映像が録画された後、所定時間内にドアホン１１のカメラ１３からの映像が録画された場合、それらの画像を読み出して、その画像を公知の顔認証システムによって同一人物であるかどうかを判定する。同一人物であると判定した場合には、その情報を画像消去部３５に通知する。
なお、ドアホン用画像記憶部３１ａと集合玄関用画像記憶部３１ｂには、訪問時の画像として複数枚の静止画像が記憶されているが、顔認証部３３はこれらの複数毎の画像のうちの一枚の画像を読み出して顔認証の対象としてもよいし、複数枚の画像を対象としてもよい。顔認証部３３は、画像記憶部に記憶された録画画像の中に同一人物による重複した画像があるかどうかを判定する重複画像判定部の一例である。
【００２３】
＜画像消去部＞
画像消去部３５は、顔認証部３３によって同一人物であると判定されたときに、顔認証部３３で認証の対象とした画像のうち、ドアホン用画像記憶部３１ａに記憶されている画像、または、集合玄関用画像記憶部３１ｂに記憶されている画像のいずれか一方を消去する。つまり同一人物による重複した画像があると判定されたときに、画像記憶部に記憶された録画画像の中から重複した画像を消去する。
【００２４】
＜モニタ＞
モニタ３７は、復調回路２３、画像再生部２９及び映像切換回路５１に接続されており、ドアホン１１のカメラ１３で撮像されている映像、集合玄関機７のカメラで撮像されている映像または画像再生部２９が記憶部３１から読み出した映像を表示する。
モニタ３７は、ドアホン１１または集合玄関機７から呼出があったときには、呼出があった方のカメラで撮像された映像を表示する。また、図示しない再生釦の操作があったときには、記憶部３１に記憶されている画像を表示する。なお、このようなモニタ３７における映像の切換えは、映像切換回路５１によって行われる。
【００２５】
＜呼出検出回路＞
呼出検出回路３９は、ドアホン１１の呼出釦１７が押されたことを検出する回路である。
【００２６】
＜通話切換回路＞
通話切換回路４１は、ドアホン１１の通話回路２１と通話線に接続され、住宅情報盤３で通話する相手としてドアホン１１と集合玄関機７とを切り換える。例えば、ドアホン１１の呼出釦１７が押されて、それが呼出検出回路３９で検出された場合には、ドアホン１１側の通話線Ｌ２と住宅情報盤３内の通話回路４７を接続してドアホン１１との通話を可能にする。他方、集合玄関機７の呼出釦が押されて、それが送受信部４９で検出された場合には、制御装置９に接続されている通話線（音声線）と住宅情報盤３内の通話回路４７を接続して集合玄関機７側との通話を可能にする。
【００２７】
＜通話回路＞
通話回路４７は、ドアホン１１の通話回路２１と同様に、マイク４３及びスピーカ４５が接続されており、呼出音や音声をスピーカ４５から出力し、また音声を、マイク４３を通じて入力する。
＜送受信部＞
送受信部４９は、制御信号線に接続されており、制御部５３と制御装置９との間の制御信号の送受信を行う。集合玄関機７からの呼出信号は、制御信号線を介して送信され、送受信部４９で受信される。
【００２８】
＜映像切換回路＞
映像切換回路５１は、映像アダプタ５５を介して映像線と接続されると共に、モニタ３７、画像録画部２７に接続されて、モニタ３７に表示する画像や画像録画部２７で録画する画像を、ドアホン１１側のものと集合玄関機７側のものとの間で切り換える。例えば、ドアホン１１から呼出があった場合には、ドアホン１１のカメラ１３で撮像された画像をモニタ３７に表示すると共にドアホン１１のカメラ１３で撮像されている画像を画像録画部２７で録画するように画像信号の流れを切り換える。他方、集合玄関機７から呼出があった場合には、集合玄関機７のカメラで撮像された画像をモニタ３７に表示すると共に集合玄関のカメラで撮像されている画像を画像録画部２７で録画するように画像信号の流れを切り換える。
【００２９】
＜制御部＞
制御部５３は、ＭＰＵなどから構成され、住宅情報盤３内の各機能を有する構成部（例えば送受信部４９等）に接続されて、各構成部と信号命令のやりとりをして各構成部を制御する。
【００３０】
集合玄関機７は、図示は省略しているがドアホン１１と同様に、訪問者を撮像するカメラ、カメラの映像信号を変調して住宅情報盤３側に制御装置９及び映像線を介して出力する変調回路、訪問者が押す呼出釦、呼出釦の動作を電気信号に変換する呼出回路、スピーカ及びマイクを有し音声信号を制御装置９及び通話線を介して出力する通話回路、呼出釦が押されたときに呼出信号を出力する送受信部を備えている。
【００３１】
次に上記のように構成された本実施の形態に係るインターホンシステム１の動作を、図２に示すフローチャートに基づいて住宅情報盤３の画像処理を中心に説明する。なお、以下においては説明を分かりやすくする観点から訪問者の行動パターンごとに分けて説明する。
【００３２】
［第１パターン］
第１パターンは訪問者の典型的な行動パターンであり、集合玄関から呼出をし、居住者の応答により開けられた集合玄関のドアを通過して目的の住戸のドアホン１１で再度呼出をする場合である。
呼出信号があったかどうか、つまり呼出検出回路３９又は送受信部４９によって呼出信号が検出されたかどうかを判断し（Ｓ１）、呼出信号がない場合には待機する。この第１パターンは呼出信号がある場合であるから、Ｓ１の判断において呼出信号があったので、その呼出信号が集合玄関機７からの呼出であるかドアホン１１からの呼出であるかを判断する（Ｓ３）。
Ｓ３の判断で、集合玄関機７であると判断されると、画像録画部２７が録画を開始する（Ｓ５）。この時の録画時間は最大で数秒間とする。そして、その設定された数秒間が経過する前に通話が終了すればその時点で録画も終了する。
録画した画像は、タイマー２８から読み込んだ時刻情報と共に集合玄関用画像記憶部３１ｂに記憶する（Ｓ７）。
【００３３】
集合玄関にあるオートドアが居住者の操作によって解錠され、開放されると、訪問者は訪問先の住戸に行き、ドアホン１１の呼出釦１７を押す。このとき、住宅情報盤３においては、呼出信号ありと判断し（Ｓ１）、さらにその呼出がドアホン１１からの呼出であると判断する（Ｓ３）。
Ｓ３の判断でドアホン１１からの呼出であると判断されると、画像録画部２７が録画を開始する（Ｓ９）。この時の録画時間は、集合玄関機７の場合と同様に、最大で数秒間とし、その設定された数秒間が経過する前に通話が終了すればその時点で録画も終了する。
録画した画像は、タイマー２８から読み込んだ時刻情報と共にドアホン用画像記憶部３１ａに記憶する（Ｓ１１）。
【００３４】
ドアホン用画像記憶部３１ａに画像が記憶されると、顔認証部３３が、現在の時刻より例えば１０分以内に録画された画像が集合玄関用画像記憶部３１ｂにあるかどうかを判断する（Ｓ１３）。ここで「１０分以内」という値は、集合玄関から住戸に行くまでに要する時間を基に設定された値である。本パターンの場合には、訪問者は集合玄関を通過しており、画像が集合玄関用画像記憶部３１ｂにあるので、その場合には、顔認証部３３が、集合玄関用画像記憶部３１ｂに記憶されている画像と、ドアホン用画像記憶部３１ａに記憶されている画像を読み出し、読み出した画像に基づいて顔認証を行う（Ｓ１５）。顔認証部３３の顔認証で、直前にドアホン１１で撮像された画像と、１０分以内に集合玄関で撮像された画像とが同一人物のものであるかどうかを判断し（Ｓ１７）、同一人物であると判断されると、画像消去部３５が、ドアホン用画像記憶部３１ａあるいは集合玄関用画像記憶部３１ｂに記憶されている画像を消去する（Ｓ１９）。
【００３５】
［第２パターン］
訪問者が集合玄関機７で呼出を行ったが居住者が留守であった場合。
この場合には、Ｓ１からＳ７まで進み、その後は、Ｓ１の判断で呼出信号がないと判断され、待機状態となる。この場合、集合玄関機７のカメラで撮像された画像が集合玄関用画像記憶部３１ｂに記憶されるだけの状態となる。
【００３６】
［第３パターン］
訪問者が同じ集合住宅内の他の住戸を訪問した後、集合住宅から出ることなく住戸を直接訪問した場合、つまり、集合玄関機７からの呼出がないまま先にドアホン１１からの呼出がある場合である。
この場合、Ｓ１〜Ｓ１１まで進み、Ｓ１３の判断で集合玄関用画像記憶部３１ｂに１０分以内に録画された画像がないと判断され、ドアホン用画像記憶部３１ａに記憶された画像の消去がされることなく処理が終了して、待機状態となる。
【００３７】
以上のように、本実施の形態によれば、訪問者が集合玄関機７のカメラとドアホン１１のカメラ１３の両方で所定の時間内に撮像されたように、同一人物による画像が重複し、必要のない画像データが存在するような場合に、その必要のない画像データを消去するようにしたので、必要のないものを削除してメモリの有効利用が可能となる。
【００３８】
なお、上記の実施の形態では、Ｓ１３の判断において、所定時間として１０分を例に挙げたが、この時間は適宜状況に応じて変更できるようにするのが好ましい。例えば、大型の集合住宅であって、集合玄関からの距離が離れている住戸については長めに設定し、逆に小規模の集合住宅の場合や集合玄関からの距離が近い住戸については短めに設定することも可能である。
【００３９】
また、上記の実施の形態では、Ｓ１３の判断において、所定時間内に録画された画像があるかどうかを判断して、所定時間内に存在する画像を顔認証の対象にするようにしたが、特に時間情報を加味することなく、記憶部３１内に記憶されている画像の全てを顔認証判断の対象としてもよい。
また、ドアホン１１で録画が行われた場合には、集合玄関用画像記憶部３１ｂに記憶されている録画画像のうち、直前に録画された画像と顔認証による比較を行うようにしてもよい。このようにすればタイマー２８による１０分以内かどうかの判断は不要となる。
【００４０】
顔認証部により、同一人物による重複した画像があると判定した場合には、集合玄関用画像記憶部、ドアホン用画像記憶部、いずれの記憶部に録画された画像を消去するようにしてもよいが、次のようにしてもよい。２つの記憶部がそれぞれ別のメモリから構成される場合は、メモリ残量によって、メモリに余裕のない記憶部の方を優先して消去するようにしてもよい。
本発明では、画像記憶部を住宅情報盤に設けるようにしたが、画像記憶部は、集合玄関機、制御装置、または管理室親機に設けるようにしてもよい。また、画像記憶部は、集合玄関用とドアホン用とをそれぞれ備えるように説明したが、これらは物理的に２つ備えている必要はない。ドアホンで撮像した画像なのか、集合玄関機で撮像した撮像した画像なのかを識別できるような識別情報を付加して一つの記憶部に記憶させるようにしてもよい。
【００４１】
また、上記の例では、集合玄関機で撮像した画像と、ドアホンで撮像した画像に重複した画像がある場合に、いずれか一方を消去するようにしたが、例えば、同じ日に、集合玄関で撮像された録画画像に同一人物による重複した画像がある場合には、画像記憶部に記憶された録画画像の中から重複した画像を消去するようにしてもよい。この場合には、記憶部に録画画像を記憶する際、どこで、つまり集合玄関またはドアホンのどちらで撮像された画像であるかを記憶させる必要はない。
【００４２】
また、画像記憶部に記憶された録画画像の中に同一人物による重複した画像があるかどうかを判定する重複画像判定部の一例として顔認証部を用いるようにしたが、以下のような別の手段を用いてもよい。
実施形態で説明したように、集合住宅において、訪問者が住戸を訪れる場合には、訪問者の映像は、集合玄関で一度撮像され、それから数分以内に、住戸の玄関でも撮像されることになる。従って、集合玄関機から呼出があって、それから所定時間以内（数分）以内に、ドアホンから呼出がある場合には、画像記憶部に同一人物による重複画像があるものと判定し、顔認証を行うことなく、ドアホンで撮像した最新の画像を消去するようにしてもよい。この場合には、所定時間を計測するタイマと制御手段とが重複画像判定手段の一例となる。
なお、特に訪問履歴を気にせず、一番、最近に訪問された日時における録画画像だけを画像記憶部に記憶させてしておくようにして、一週間前とかの同一人物による重複した録画画像を消去するようにしてもよい。
このような発明に係るインターホンシステムは、集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部を備えてなるインターホンシステムにおいて、前記集合玄関機または前記ドアホンから呼出があるときに撮像された録画画像を記憶する画像記憶部と、前記画像記憶部に記憶された録画画像の中に同一人物による重複した画像があるかどうかを判定する重複画像判定部と、該重複画像判定部によって同一人物による重複した画像があると判定されたときに前記画像記憶部に記憶された録画画像の中から重複した画像を消去する画像消去部を備えたことを特徴とするものである。
【００４３】
上記の実施の形態では、顔認証部３３によって所定時間内に撮像された人物が同一人物であるかどうかを判断することで、不要な画像データを特定するようにした。
しかし、訪問者の典型的な行動パターンでは、集合玄関機のカメラで撮像された後、想定される時間内にドアホンのカメラで撮像されることになるので、図２に示したフローチャートのＳ１３の判断において現在時刻より所定時間内に撮像された画像がある場合には、顔認証を行うことなくドアホンで撮像された画像、あるいは集合玄関機で撮像された画像を消去するようにしてもよい。
このようにする場合のインターホンシステムに係る発明は以下のような構成となる。
【００４４】
このような発明に係るインターホンシステムは、集合玄関に設置されている集合玄関機と、各住戸の玄関に設置されるドアホンと、各住戸内に設置される住宅情報盤とを備えて構成され、前記集合玄関機および前記ドアホンから前記住宅情報盤に対して訪問者の呼出があるときに、それぞれの機器で撮像された前記訪問者の映像を録画する画像録画部を前記住宅情報盤が備えてなるインターホンシステムにおいて、
前記集合玄関機から呼出があるときに撮像された録画画像を記憶する集合玄関用画像記憶部と、前記ドアホンから呼出があるときに撮像された録画画像を記憶するドアホン用画像記憶部と、該ドアホン用画像記憶部に記憶された時刻より所定時間内に集合玄関用画像記憶部に記憶された録画画像があるかどうかを判定して、録画画像がある場合には直近に録画された前記ドアホン用画像記憶部または前記所定時間内に記憶された前記集合玄関用画像記憶部の録画画像の一方を消去する画像消去部を備えたことを特徴とするものである。
【符号の説明】
【００４５】
１  インターホンシステム        ３  住宅情報盤      ５  管理室親機
７  集合玄関機                  ９  制御装置        １１  ドアホン
１３  カメラ                    １５  変調回路        １７  呼出釦
１９  呼出回路                  ２１  通話回路        ２３  復調回路
２５  電源供給回路              ２７  画像録画部      ２９  画像再生部
３１  記憶部                  ３１ａ  ドアホン用画像記憶部
３１ｂ  集合玄関機用画像記憶部
３３  顔認証部                  ３５  画像消去部      ３７  モニタ
３９  呼出検出回路              ４１  通話切換回路    ４３  マイク
４５  スピーカ                  ４７  通話回路        ４９  送受信部
５１  映像切換回路              ５３  制御部          ５５  映像アダプタ
【図１】
0005468952.tif 000002
【図２】
0005468952.tif 000003
【図３】
0005468952.tif 000004